(57)【要約】【課題】  共同作業が多いサーバ上のホームページの更新に関して、作業の漏れや無駄を防ぐ。また、部外者よりの侵入、改竄によりファイル環境が破壊されることを防ぐ。【解決手段】  ログ情報出力部１０２がＷＷＷサーバ１０へのアクセス状況をもとにログ情報出力ファイル１１２を出力する。ホームページ管理部１０１はクライアント２０が上書き更新しようとする修正ファイルのコピー時の最終更新日時が更新対象となるホームページコンテンツファイル１１１の最終更新日時と異なっていれば更新不可と判断し、更新情報メール配信部１０４は更新データ送信者へ警告を発信する。ホームページ管理部１０１は関係者のメールアドレスを含む情報を対応づける対応テーブル１０３を参照して更新データ送信者が含まれていない場合は不正アクセスがあったことを関係者にメール配信する。ホームページ掲載部１０６はホームページ更新履歴情報をホームページに掲載する。【選択図】      図１
2005070934.tif 000002
【特許請求の範囲】
【請求項１】
ネットワークを介して相互に接続されたＷＷＷサーバとクライアントとを有するホームページ更新情報通報システムであって、
前記ＷＷＷサーバは、ホームページコンテンツファイルと、前記ホームページコンテンツファイルへのアクセス状況をもとにログファイルを出力して記憶装置に格納するログ情報出力部と、前記ログファイルに基づいて前記ホームページコンテンツファイル更新の可否を判断するホームページ管理部と、更新者の情報と更新モードとを含む更新情報を関係者にメール配信する更新情報メール配信部とを備え、
前記クライアントは、前記ホームページコンテンツファイルをコピーし、修正し、上書き更新要求する手段を備えたことを特徴とするホームページ更新情報通報システム。
【請求項２】
前記ホームページ管理部は、前記クライアントが上書き更新しようとするホームページコンテンツ修正ファイルのコピー時の最終更新日時が更新対象となる前記ＷＷＷサーバ上のホームページコンテンツファイルの最終更新日時と異なっていれば更新不可と判断し、更新不可と判断された場合は更新情報メール配信部が更新データ送信者へ警告メールを発信することを特徴とする請求項１記載のホームページ更新情報通報システム。
【請求項３】
前記ＷＷＷサーバは、関係者の少なくともメールアドレスを含む情報を対応づける対応テーブルを備え、前記ホームページ管理部は、更新データ送信者が前記対応テーブルに含まれているかを判断し、含まれていない場合は前記更新情報メール配信部が不正アクセスがあったことを関係者にメール配信することを特徴とする請求項１または２記載のホームページ更新情報通報システム。
【請求項４】
前記ＷＷＷサーバは、ホームページ更新履歴情報をホームページに掲載するホームページ掲載部を備えたことを特徴とする請求項１、２または３記載のホームページ更新情報通報システム。
【請求項５】
ネットワークを介して相互に接続されたＷＷＷサーバとクライアントとを使用するホームページ更新情報通報方法であって、
前記クライアントが前記ＷＷＷサーバ上のホームページコンテンツファイルをコピーし、修正し、上書き更新要求するステップと、
前記ＷＷＷサーバが前記ホームページコンテンツファイルへのアクセス状況をもとにログファイルを出力して記憶装置に格納するステップと、
前記ＷＷＷサーバが前記ログファイルに基づいて前記ホームページコンテンツファイル更新の可否を判断するステップと、
前記ＷＷＷサーバが更新者の情報と更新モードとを含む更新情報を関係者にメール配信するステップとを備えたことを特徴とするホームページ更新情報通報方法。
【請求項６】
前記ＷＷＷサーバは、前記クライアントが上書き更新しようとするホームページコンテンツ修正ファイルのコピー時の最終更新日時が更新対象となる前記ＷＷＷサーバ上のホームページコンテンツファイルの最終更新日時と異なっていれば更新不可と判断し、更新不可と判断された場合は更新データ送信者へ警告メールを発信することを特徴とする請求項５記載のホームページ更新情報通報方法。
【請求項７】
前記ＷＷＷサーバが関係者の少なくともメールアドレスを含む情報を対応づける対応テーブルを参照して更新データ送信者が前記対応テーブルに含まれているかを判断するステップと、含まれていない場合は不正アクセスがあったことを関係者にメール配信するステップとを含むことを特徴とする請求項５または６記載のホームページ更新情報通報方法。
【請求項８】
前記ＷＷＷサーバがホームページ更新履歴情報をホームページに掲載するステップを含むことを特徴とする請求項６、７または８記載のホームページ更新情報通報方法。
【請求項９】
ネットワークを介してクライアントに接続されたＷＷＷサーバであって、
ホームページコンテンツファイルと、前記ホームページコンテンツファイルへの前記クライアントのアクセス状況をもとにログファイルを出力して記憶装置に格納するログ情報出力部と、前記ログファイルに基づいて前記ホームページコンテンツファイル更新の可否を判断するホームページ管理部と、更新者の情報と更新モードとを含む更新情報を関係者にメール配信する更新情報メール配信部とを備えたことを特徴とするＷＷＷサーバ。
【請求項１０】
前記ホームページ管理部は、前記クライアントが上書き更新しようとするホームページコンテンツ修正ファイルのコピー時の最終更新日時が更新対象となる前記ＷＷＷサーバ上のホームページコンテンツファイルの最終更新日時と異なっていれば更新不可と判断し、更新不可と判断された場合は更新情報メール配信部が更新データ送信者へ警告メールを発信することを特徴とする請求項９記載のＷＷＷサーバ。
【請求項１１】
関係者の少なくともメールアドレスを含む情報を対応づける対応テーブルを備え、前記ホームページ管理部は、更新データ送信者が前記対応テーブルに含まれているかを判断し、含まれていない場合は前記更新情報メール配信部が関係者に不正アクセスがあったことをメール配信することを特徴とする請求項９または１０記載のＷＷＷサーバ。
【請求項１２】
ホームページ更新履歴情報をホームページに掲載するホームページ掲載部を備えたことを特徴とする請求項９、１０または１１記載のＷＷＷサーバ。
【請求項１３】
コンピュータに、ホームページコンテンツファイルへのクライアントのアクセス状況をもとにログファイルを出力して記憶装置に格納する処理と、前記ログファイルに基づいて前記ホームページコンテンツファイル更新の可否を判断する処理と、更新者の情報と更新モードとを含む更新情報を関係者にメール配信する処理とを実行させるためのプログラム。
【請求項１４】
コンピュータに、前記クライアントが上書き更新しようとするホームページコンテンツ修正ファイルのコピー時の最終更新日時が更新対象となる前記ＷＷＷサーバ上のホームページコンテンツファイルの最終更新日時と異なっていれば更新不可と判断する処理と、更新不可と判断された場合は更新データ送信者へ警告メールを発信する処理とを実行させるための請求項１３記載のプログラム。
【請求項１５】
コンピュータに、関係者の少なくともメールアドレスを含む情報を対応づける対応テーブルを参照して更新データ送信者が前記対応テーブルに含まれているかを判断する処理と、含まれていない場合は不正アクセスがあったことを関係者にメール配信する処理とを実行させるための請求項１３または１４記載のプログラム。
【請求項１６】
コンピュータに、ホームページ更新履歴情報をホームページに掲載する処理を実行させるための請求項１３、１４または１５記載のプログラム。
【発明の詳細な説明】
【技術分野】
【０００１】
本発明はホームページ更新情報通報システム、ホームページ更新情報通報方法およびプログラムに関し、特に、ネットワークを介して相互に接続されたＷＷＷ（World Wide Web）サーバとクライアントとを有するホームページ更新情報通報システム、ホームページ更新情報通報方法およびプログラムに関する。
【背景技術】
【０００２】
近年、ＬＡＮ（Local Area Network）、ＷＡＮ（Wide Area Network）等のネットワークの技術の発達と、それらの技術を使ったソフトウェアの高度化により、オープン化が進み、ホームページのファイル環境はますます、複雑化し、そのメンテナンス作業も煩雑化してきた。またこれらのファイルに対するメンテナンス作業もサーバ側で直接メンテナンスする方法から、ＬＡＮ上の端末、ひいてはＷＡＮ上の端末へと広がり、それに伴う共同作業時の連絡漏れ、誤解などによる更新作業の無駄等、余分な作業が発生してしまう事象も出てきた。またＦＴＰ（File  Transfer  Protocol）等のツールを利用してメンテナンス作業を行う為、部外者からの悪意のアクセス、更新によりファイル環境が破壊されたりするケースも出てきている。
【０００３】
そうしたトラブルを防ぐ為、何時、誰が、どのファイルをどんなモードでアクセス、更新したかの情報を管理することは大変重要で、それにより部外者からのアクセス情報も管理して、重大なトラブルも未然に防ぐことが出来る。また、そうした情報を関係者が迅速に把握できることが望ましい。
【０００４】
最近の事例では官庁のサーバに侵入しホームページを破壊した例もあり、特にＡＤＳＬ(asymmetric dejital subscriber line)技術の普及による常時接続の環境下ではこうした危険性もますます高くなり、情報の管理は大変重要なものとなってきている。
【０００５】
ホームページが更新されたことを通知する方式は、たとえば特許文献１に記載されている。特許文献１には更新情報の通知のみで更新のモード、レベルについては言及されていない。また、ホームページの不正な改竄を監視するシステムは、たとえば特許文献２に記載されている。特許文献２には不正な改竄とそうでないものとをどう判断するかについては記載されていない。
【０００６】
【特許文献１】特開平１０−２６０８８６号公報
【０００７】
【特許文献２】特開２００１−３０６４１９号公報
【発明の開示】
【発明が解決しようとする課題】
【０００８】
上述した従来のホームページ更新システムは、ホームページのコンテンツ量の増大に伴い、更新作業等のメンテナンス工数が増え、内容も煩雑になってきているという問題点がある。更新漏れがコミュニケーション不足やケアレスミス等が原因で起きているケースもある。
【０００９】
また、ＬＡＮ、ＷＡＮ等ネットワークの技術とソフトウェア技術の高度化により、公衆回線等から部外者よりの不正アクセス、改竄等による被害が増えてきたという問題点がある。
【００１０】
本発明の目的は、共同で作業をすることの多いサーバ上のホームページの更新に関して、作業の漏れや無駄を防ぐホームページ更新情報通報システム、ホームページ更新情報通報方法およびプログラムを提供することにある。
【００１１】
また、本発明の別の目的は、部外者よりの侵入、改竄によりファイル環境が破壊されることを防ぐホームページ更新情報通報システム、ホームページ更新情報通報方法およびプログラムを提供することにある。
【課題を解決するための手段】
【００１２】
本発明のホームページ更新情報通報システムは、ネットワークを介して相互に接続されたＷＷＷサーバとクライアントとを有するホームページ更新情報通報システムであって、
前記ＷＷＷサーバは、ホームページコンテンツファイルと、前記ホームページコンテンツファイルへのアクセス状況をもとにログファイルを出力して記憶装置に格納するログ情報出力部と、前記ログファイルに基づいて前記ホームページコンテンツファイル更新の可否を判断するホームページ管理部と、更新者の情報と更新モードとを含む更新情報を関係者にメール配信する更新情報メール配信部とを備え、
前記クライアントは、前記ホームページコンテンツファイルをコピーし、修正し、上書き更新要求する手段を備えたことを特徴とする。
【００１３】
本発明のホームページ更新情報通報システムは、前記ホームページ管理部は、前記クライアントが上書き更新しようとするホームページコンテンツ修正ファイルのコピー時の最終更新日時が更新対象となる前記ＷＷＷサーバ上のホームページコンテンツファイルの最終更新日時と異なっていれば更新不可と判断し、更新不可と判断された場合は更新情報メール配信部が更新データ送信者へ警告メールを発信することを特徴としてもよい。
【００１４】
本発明のホームページ更新情報通報システムは、前記ＷＷＷサーバは、関係者の少なくともメールアドレスを含む情報を対応づける対応テーブルを備え、前記ホームページ管理部は、更新データ送信者が前記対応テーブルに含まれているかを判断し、含まれていない場合は前記更新情報メール配信部が不正アクセスがあったことを関係者にメール配信することを特徴としてもよい。
【００１５】
本発明のホームページ更新情報通報システムは、前記ＷＷＷサーバは、ホームページ更新履歴情報をホームページに掲載するホームページ掲載部を備えたことを特徴としてもよい。
【００１６】
本発明のホームページ更新情報通報方法は、ネットワークを介して相互に接続されたＷＷＷサーバとクライアントとを使用するホームページ更新情報通報方法であって、
前記クライアントが前記ＷＷＷサーバ上のホームページコンテンツファイルをコピーし、修正し、上書き更新要求するステップと、
前記ＷＷＷサーバが前記ホームページコンテンツファイルへのアクセス状況をもとにログファイルを出力して記憶装置に格納するステップと、
前記ＷＷＷサーバが前記ログファイルに基づいて前記ホームページコンテンツファイル更新の可否を判断するステップと、
前記ＷＷＷサーバが更新者の情報と更新モードとを含む更新情報を関係者にメール配信するステップとを備えたことを特徴とする。
【００１７】
本発明のホームページ更新情報通報方法は、前記ＷＷＷサーバは、前記クライアントが上書き更新しようとするホームページコンテンツ修正ファイルのコピー時の最終更新日時が更新対象となる前記ＷＷＷサーバ上のホームページコンテンツファイルの最終更新日時と異なっていれば更新不可と判断し、更新不可と判断された場合は更新データ送信者へ警告メールを発信することを特徴としてもよい。
【００１８】
本発明のホームページ更新情報通報方法は、前記ＷＷＷサーバが関係者の少なくともメールアドレスを含む情報を対応づける対応テーブルを参照して更新データ送信者が前記対応テーブルに含まれているかを判断するステップと、含まれていない場合は不正アクセスがあったことを関係者にメール配信するステップとを含むことを特徴としてもよい。
【００１９】
本発明のホームページ更新情報通報方法は、前記ＷＷＷサーバがホームページ更新履歴情報をホームページに掲載するステップを含むことを特徴としてもよい。
【００２０】
本発明のＷＷＷサーバは、ネットワークを介してクライアントに接続されたＷＷＷサーバであって、
ホームページコンテンツファイルと、前記ホームページコンテンツファイルへの前記クライアントのアクセス状況をもとにログファイルを出力して記憶装置に格納するログ情報出力部と、前記ログファイルに基づいて前記ホームページコンテンツファイル更新の可否を判断するホームページ管理部と、更新者の情報と更新モードとを含む更新情報を関係者にメール配信する更新情報メール配信部とを備えたことを特徴とする。
【００２１】
本発明のＷＷＷサーバは、前記ホームページ管理部は、前記クライアントが上書き更新しようとするホームページコンテンツ修正ファイルのコピー時の最終更新日時が更新対象となる前記ＷＷＷサーバ上のホームページコンテンツファイルの最終更新日時と異なっていれば更新不可と判断し、更新不可と判断された場合は更新情報メール配信部が更新データ送信者へ警告メールを発信することを特徴としてもよい。
【００２２】
本発明のＷＷＷサーバは、関係者の少なくともメールアドレスを含む情報を対応づける対応テーブルを備え、前記ホームページ管理部は、更新データ送信者が前記対応テーブルに含まれているかを判断し、含まれていない場合は前記更新情報メール配信部が関係者に不正アクセスがあったことをメール配信することを特徴としてもよい。
【００２３】
本発明のＷＷＷサーバは、ホームページ更新履歴情報をホームページに掲載するホームページ掲載部を備えたことを特徴としてもよい。
【００２４】
本発明のプログラムは、コンピュータに、ホームページコンテンツファイルへのクライアントのアクセス状況をもとにログファイルを出力して記憶装置に格納する処理と、前記ログファイルに基づいて前記ホームページコンテンツファイル更新の可否を判断する処理と、更新者の情報と更新モードとを含む更新情報を関係者にメール配信する処理とを実行させる。
【００２５】
本発明のプログラムは、コンピュータに、前記クライアントが上書き更新しようとするホームページコンテンツ修正ファイルのコピー時の最終更新日時が更新対象となる前記ＷＷＷサーバ上のホームページコンテンツファイルの最終更新日時と異なっていれば更新不可と判断する処理と、更新不可と判断された場合は更新データ送信者へ警告メールを発信する処理とを実行させるようにしてもよい。
【００２６】
本発明のプログラムは、コンピュータに、関係者の少なくともメールアドレスを含む情報を対応づける対応テーブルを参照して更新データ送信者が前記対応テーブルに含まれているかを判断する処理と、含まれていない場合は不正アクセスがあったことを関係者にメール配信する処理とを実行させるようにしてもよい。
【００２７】
本発明のプログラムは、コンピュータに、ホームページ更新履歴情報をホームページに掲載する処理を実行させるようにしてもよい。
【発明の効果】
【００２８】
本発明によれば、ＬＡＮ環境だけではなく、ＷＡＮ環境からのファイル更新によるデータ更新ミスを防止し、かつ、更新履歴を関係者に迅速に通報することができるという効果がある。またメールとホームページ掲載という二つの手段により伝達の漏れを少なくすることができる。
【００２９】
さらに関係者のＩＰ（internet protocol）アドレスとメールアドレスをテーブル化しておくことにより部外者からのアクセスによるものかどうかも判断することができ、ホームページの更新に対し、より的確な対応が可能となるという効果がある。
【発明を実施するための最良の形態】
【００３０】
本発明を実施するための最良の形態について図面を参照して詳細に説明する。図１は本発明の実施の形態の構成を示すブロック図である。本発明の実施の形態は、ＷＷＷ（World Wide Web）サーバ１０とクライアント２０とこれらを相互に接続するネットワーク３０とを含む。クライアント２０は一般に複数台接続される。
【００３１】
クライアント２０はパーソナルコンピュータ等の情報処理装置である。クライアント２０は、特に図示はしないが、その内部または外部に、一般のパーソナルコンピュータと同様に、データを入力するためのマウスやキーボード等の入力装置、データを表示するためのＣＲＴ（cathode-ray tube）等の表示装置、データを一時記憶するための記憶装置を有する。
【００３２】
ＷＷＷサーバ１０はワークステーション・サーバ等の情報処理装置である。ＷＷＷサーバ１０も、特に図示はしないが、データを一時記憶するための記憶装置を有し、さらに、入力装置、表示装置を必要に応じて備える。ＷＷＷサーバ１０は、図１にある様に、ＷＷＷサーバ１０上のホームページ環境を監視するホームページ管理部１０１と、それを通してファイルへの更新情報をログ情報出力ファイル１１２に出力して記憶装置に格納しておくログ情報出力部１０２と、関係者のＩＰアドレスと関係者のメールアドレスとを対応づけたメール配信用のＩＰアドレスメールアドレス対応テーブル１０３と、ログ情報を元にメールを配信用に編集し、メールソフトに送る為の更新情報メール配信部１０４と、関係者に配信した更新履歴情報をホームページ情報とする為のホームページ掲載部１０６とを含む。ＩＰアドレスメールアドレス対応テーブル１０３とホームページコンテンツファイル１１１とログ情報出力ファイル１１２とは、記憶装置に格納される。
【００３３】
ＷＷＷサーバ１０は、ＷＷＷサーバ１０上のホームページコンテンツファイル１１１に対してのアクセス状況を管理する機能と、ログ情報出力ファイル１１２へ出力する機能と、不正アクセス時に関係者及び不正アクセス実施者に対し警告メッセージを発する機能とを持つ。
【００３４】
次に、動作について説明する。図２は本発明の実施の形態の動作イメージ図である。図２を参照して動作概要を説明する。
【００３５】
ホームページ管理部１０１が管理するホームページコンテンツファイル１１１が、何らかのモードで実行されると、ログ情報出力部１０２は、その情報をログ情報出力ファイル１１２に出力し、記憶装置に格納する。その際、ログ情報出力ファイル１１２に出力される情報としては標準の形式では下記（１）〜（１２）が含まれる。
（１）クライアントＩＰアドレス
（２）ユーザ名
（３）接続日時
（４）サービスタイプ（ＷＷＷかＦＴＰか）
（５）サーバコンピュータ名（ウェブサービスを実行しているコンピュータ名）
（６）サーバコンピュータのＩＰアドレス
（７）作業時間（ミリ秒）
（８）受信バイト（サーバコンピュータがクライアントから受信したデータ量）
（９）通信バイト（サーバコンピュータがクライアントへ送信したデータ量）
（１０）サービス状態（サーバコンピュータがクライアントからの要求にどう応えたかをコードで表示する）、
（１１）操作内容（クライアントが行った操作：ＧＥＴ＝取得、ＨＥＡＤ＝取得（確認のみ）、ＰＯＳＴ＝投稿、ＰＵＴ＝作成、ＤＥＬＥＴＥ＝削除）、
（１２）対象ＵＲＬ（クライアントが要求したＵＲＬ）等の情報がある。
出力したログ情報のイメージとしては図２（右上部）にある様な状態となる。
【００３６】
ログ情報を元に、ＩＰアドレスメールアドレス対応テーブル１０３によりメールを送るべき関係者のメールアドレスを洗い出し、また部外者のものと思われるＩＰアドレスが発見された際には関係者全員へ更新履歴情報を送付したり、部外者に警報を出したり、破壊されたＷＷＷサーバ１０配下のファイルの確認、修復を行う様にする。
【００３７】
その後、出力ログの情報を元にメールで送るのと同様の最終更新日時、ユーザ名、ＩＰアドレス、ファイルの更新情報をホームページ掲載用の最新情報として追加する。
【００３８】
ＩＰアドレスメールアドレス対応テーブル１０３を元にＷＷＷサーバ１０配下のファイル更新情報をメールとして飛ばす事により、情報の伝達漏れを防ぐことができる。
【００３９】
図３は本発明の実施の形態の動作の流れを示すフローチャートである。図３を参照して動作の流れを詳細に説明する。
【００４０】
まず、クライアント２０がＷＷＷサーバ１０のホームページコンテンツファイル１１１をローカル環境へコピーする（ステップＳ１）。
【００４１】
クライアント２０はローカル環境へコピーしたホームページコンテンツファイル１１１へ修正を加え、ホームページコンテンツ修正ファイル１２１を作成する（ステップＳ２）。
【００４２】
クライアント２０はホームページコンテンツ修正ファイル１２１をＷＷＷサーバ１０へコピーしようとする（ステップＳ３）。
【００４３】
ステップＳ３において、更新手順ミスで修正内容が最新のイメージに反映されなかったりすることを防止するため、ホームページ管理部１０１がチェックを行う（ステップＳ４）。更新対象となっているＷＷＷサーバ１０上のホームページコンテンツファイル１１１最終更新日時が、クライアント２０が修正したホームページコンテンツ修正ファイル１２１の修正前の最終更新日時と同じであるかのチェックを行う。図４を参照して説明する。
【００４４】
クライアント（２）はＷＷＷサーバ１０からファイルＡ０をコピーして修正し修正ファイルＡ１を作成してＷＷＷサーバ１０に上書き更新しようとする。この場合、ファイルＡ０のコピー時の最終更新日時は「2003/07/20 15:00」である。クライアント（２）が修正した修正ファイルＡ１を上書き更新しようとするとき、更新対象となるＷＷＷサーバ１０上のファイルＡ０の最終更新日時は「2003/07/20 15:00」である。従ってステップＳ４のチェックで「同じ」すなわち「ＹＥＳ」となる。後述するステップＳ７のチェック後、更新が許可され、ファイルＡ０はファイルＡ１となり、最終更新日時は「2003/07/20 15:05」となる。
【００４５】
一方、クライアント（１）はＷＷＷサーバ１０からファイルＡ０をコピーして修正しファイルＡ２を作成してＷＷＷサーバ１０に上書き更新しようとする。この場合、ファイルＡ０のコピー時の最終更新日時は「2003/07/20 14:55」である。クライアント（１）が修正した修正ファイルＡ２を上書き更新しようとするとき、更新対象となるＷＷＷサーバ１０上のファイルはＡ１となっており、最終更新日時は「2003/07/20 15:05」である。従ってステップＳ４のチェックで「異なる」すなわち「ＮＯ」となる。
【００４６】
ステップＳ４で「異なる」すなわち「ＮＯ」の場合、ホームページ管理部１０１は警報、エラー情報をセットする（ステップＳ５）。更新情報メール配信部１０４は更新データの送信者（発信元）へその旨の警告メールを発信する。（ステップＳ５）、更新させないようにする。また、誤って更新した場合は複数世代の退避用データから元に戻す様にする機能を持つようにしてもよい。
【００４７】
ステップＳ４で「同じ」すなわち「ＹＥＳ」の場合、ホームページ管理部１０１は更新データの送信者のＩＰアドレス、ユーザＩＤ、パスワードをログ情報出力ファイル１１２から読み出して記憶装置内のＩＰアドレスメールアドレス対応テーブル１０３と照合し、送信者が関係者であるか否かの判断を行う（ステップＳ６）。
【００４８】
ステップＳ６で「ＮＯ」、すなわち、送信者が関係者でないと判断された場合は、ホームページ管理部１０１は更新不可とし、警報、エラー情報をセットする（ステップＳ５）。更新情報メール配信部１０４は、部外者からアクセスがあったことを、ＩＰアドレスメールアドレス対応テーブル１０３を参照して関係者にメール配信する（ステップＳ８）。
【００４９】
ステップＳ６で「ＹＥＳ」の場合、ホームページ管理部１０１はＷＷＷサーバ１０のホームページコンテンツファイル１１１を置換する（ステップＳ７）。
【００５０】
更新情報メール配信部１０４は、ホームページコンテンツファイル更新データが何時発信されたか、どのＩＰアドレスから発信されたものか、またどのファイルをどのようなモードで更新したものであるかの情報を関係者にメール配信する（ステップＳ８）。
【００５１】
ホームページ掲載部１０６は、ログ情報出力ファイル１１２の情報を元に、メールで送るのと同様の最終更新日時、ユーザ名、ＩＰアドレス、ファイルの更新情報をホームページ掲載用の最新情報として追加する（ステップＳ９）。
【００５２】
本発明の実施形態のＷＷＷサーバ１０とクライアント２０の動作はコンピュータ・プログラム処理により行わせることが可能である。すなわち、記録媒体に記録したプログラムをＷＷＷサーバ１０またはクライアント２０に読み込ませるか、あるいは、ネットワークからコンピュータ・プログラムをＷＷＷサーバ１０またはクライアント２０に読み込ませて、実施形態で説明した動作を実行させる。
【図面の簡単な説明】
【００５３】
【図１】本発明の実施の形態の構成を示すブロック図である。
【図２】本発明の実施の形態の動作イメージ図である。
【図３】本発明の実施の形態の動作の流れを示すフローチャートである。
【図４】ホームページ更新可否を説明するイメージ図である。
【符号の説明】
【００５４】
１０    ＷＷＷサーバ
２０    クライアント
３０    ネットワーク
１０１    ホームページ管理部
１０２    ログ情報出力部
１０３    ＩＰアドレスメールアドレス対応テーブル
１０４    更新情報メール配信部
１０６    ホームページ掲載部
１１１    ホームページコンテンツファイル
１１２    ログ情報出力ファイル
１２１    ホームページコンテンツ修正ファイル
【図１】
2005070934.tif 000003
【図２】
2005070934.tif 000004
【図３】
2005070934.tif 000005
【図４】
2005070934.tif 000006